(57)【要約】【課題】質問器と応答器の通信可能距離を延長してもセキュリティ機器の警戒モードが不用意に解除されることを防止する。【解決手段】宅外側通過検知装置２で人が住宅内に入ることが検知され且つ質問器４で受信した識別符号が予め登録された識別符号と照合して一致した場合に、防犯制御装置５がセキュリティ機器（防犯センサ６）の警戒モードを解除する。従って、住戸外において質問器４の送信可能範囲内に応答器３が入ってしまっても宅外側通過検知装置２で人が検知されない限りは警戒モードが解除されることがなく、質問器４と応答器３の通信可能距離を延長しても防犯センサ６の警戒モードが不用意に解除されることを防止できる。【選択図】        図１
2006350862.tif 000002
【特許請求の範囲】
【請求項１】
住戸内への不審者の侵入や住戸内におけるガス漏れ、火災発生等のセキュリティ関係の異常を検知して異常検知信号を送信する送信機からなる１乃至複数のセキュリティ機器と、住戸の玄関における人の出入りを検知する検知装置と、固有の識別符号を記憶するとともに無線信号によって当該識別符号を送信する機能を有し居住者が携帯する応答器と、外玄関に設置され応答器に対して無線信号により識別符号の問い合わせを行うとともに応答器から返信される識別符号を受信する質問器と、セキュリティ機器から異常検知信号を受信して異常発生を報知する制御装置とを備え、
制御装置は、異常検知信号を受信する受信手段と、光や音などで異常発生を報知する報知手段と、警戒モードが設定されている場合に受信手段で異常検知信号を受信したときに報知手段により異常発生を報知させるとともに警戒モードが解除されている場合には異常検知信号を受信しても異常発生を報知させない制御手段とを具備し、
制御手段は、検知装置で人が住宅内に入ることが検知され且つ質問器で受信した識別符号が予め登録された識別符号と照合して一致した場合に警戒モードを解除することを特徴とするセキュリティシステム。
【請求項２】
制御装置の制御手段は、検知装置で人が住宅内から出ることが検知され且つ質問器で受信した識別符号が予め登録された識別符号と照合して一致した場合に警戒モードを設定することを特徴とする請求項１記載のセキュリティシステム。
【請求項３】
制御装置は、質問器に対して警戒モードの設定／解除の状態を通知する通知手段を具備し、
質問器は、警告音を鳴動する警告音鳴動手段と、応答器の識別符号を送信したにもかかわらず制御装置の通知手段から警戒モードが解除状態であることが通知された場合に警告音鳴動手段を鳴動させる質問器制御手段とを具備することを特徴とする請求項１記載のセキュリティシステム。
【請求項４】
質問器は、警告音を鳴動する警告音鳴動手段と、応答器から識別符号が返信されない場合に警告音鳴動手段を鳴動させる質問器制御手段とを具備することを特徴とする請求項１記載のセキュリティシステム。
【請求項５】
それぞれに異なる識別符号を記憶した複数の応答器を備え、
制御装置は、応答器に対して無線信号により識別符号の問い合わせを行うとともに応答器から返信される識別符号を受信する質問手段を具備し、
制御手段は、質問手段で何れの応答器の識別符号も受信しなければ警戒モードを設定し、質問手段で少なくとも何れか一つの応答器の識別符号を受信すれば警戒モードを設定しないことを特徴とする請求項２記載のセキュリティシステム。
【請求項６】
制御装置は、ガス器具や照明器具に対して動作を停止させるための制御信号を送信する制御信号送信手段を具備し、
制御手段は、質問手段が何れの応答器の識別符号も受信しなければ制御信号送信手段から制御信号を送信させ、質問手段が少なくとも一つの応答器の識別符号を受信すれば制御信号送信手段から制御信号を送信させないことを特徴とする請求項５記載のセキュリティシステム。
【請求項７】
制御装置は、質問器に対して警戒モードの設定及び解除の状態を示すモード信号を送信するモード信号送信手段を具備し、
質問器は、制御装置のモード信号送信手段から送信されるモード信号を受信するモード信号受信手段と、モード信号受信手段で受信するモード信号に応じて警戒モードの設定及び解除の状態を報知するモード報知手段とを具備することを特徴とする請求項１記載のセキュリティシステム。
【請求項８】
セキュリティ機器として住戸の出入口に設けられた扉を施錠する電気錠を備え、
制御装置は、検知装置で人が住宅内に入ることが検知され且つ質問器で受信した識別符号が予め登録された識別符号と照合して一致した場合に電気錠を解錠する電気錠駆動手段を具備することを特徴とする請求項１〜７の何れかに記載のセキュリティシステム。
【請求項９】
電気錠は、扉の閉戸を検出して閉戸検出信号を出力する機能を有し、
制御装置の電気錠駆動手段は、閉戸検出信号が出力されているときに電気錠を施錠するとともに、閉戸検出信号の出力開始時に質問器から識別符号を受信していなければ電気錠を施錠しないことを特徴とする請求項８記載のセキュリティシステム。
【請求項１０】
質問器は、閉戸検出信号の出力開始時に無線信号を送信することを特徴とする請求項９記載のセキュリティシステム。
【発明の詳細な説明】
【技術分野】
【０００１】
本発明は、住戸に設置されるセキュリティシステムに関するものである。
【背景技術】
【０００２】
近年、空き巣狙いや強盗などの犯罪件数が増加する傾向にあり、その対策として、住戸への侵入者を検知して警報を発したり、あるいは、住戸の玄関に設置された電気錠を遠隔制御で施錠及び解錠するようにしたセキュリティシステムが急速に普及してきている（例えば、特許文献１参照）。
【０００３】
この種のセキュリティシステムの中には、居住者が携帯する応答器（ＩＤタグ）と、外玄関に設置された質問器（リーダ装置）との間で無線通信を行い、質問器で受信した応答器のＩＤ（識別符号）が予め登録されているＩＤと一致したとき、住戸内に設置されているセキュリティ機器に関する制御、例えば、窓からの侵入を検知するセンサや、ガス漏れセンサ、火災感知センサなどのセンサ出力を受けて警報を発する警戒モードの設定、あるいは、電気錠の施錠を行うものがあった。但し、かかる従来システムでは、質問器と応答器の通信可能距離がせいぜい数センチから十数センチであるため、居住者は応答器を質問器の近傍にかざして通信を行わせる必要があった。
【特許文献１】特開２００４−１３３８１７号公報
【発明の開示】
【発明が解決しようとする課題】
【０００４】
ところで、応答器を質問器の近傍にかざす手間を省くために質問器と応答器の通信可能距離を数メートルまで延長した場合、例えば、住戸外において質問器の送信可能範囲内に応答器が入ってしまい、居住者が外出するにも関わらず誤って警戒モードが解除されてしまう虞があった。
【０００５】
本発明は上記事情に鑑みて為されたものであり、その目的は、質問器と応答器の通信可能距離を延長してもセキュリティ機器の警戒モードが不用意に解除されることを防止したセキュリティシステムを提供することにある。
【課題を解決するための手段】
【０００６】
請求項１の発明は、上記目的を達成するために、住戸内への不審者の侵入や住戸内におけるガス漏れ、火災発生等のセキュリティ関係の異常を検知して異常検知信号を送信する送信機からなる１乃至複数のセキュリティ機器と、住戸の玄関における人の出入りを検知する検知装置と、固有の識別符号を記憶するとともに無線信号によって当該識別符号を送信する機能を有し居住者が携帯する応答器と、外玄関に設置され応答器に対して無線信号により識別符号の問い合わせを行うとともに応答器から返信される識別符号を受信する質問器と、セキュリティ機器から異常検知信号を受信して異常発生を報知する制御装置とを備え、制御装置は、異常検知信号を受信する受信手段と、光や音などで異常発生を報知する報知手段と、警戒モードが設定されている場合に受信手段で異常検知信号を受信したときに報知手段により異常発生を報知させるとともに警戒モードが解除されている場合には異常検知信号を受信しても異常発生を報知させない制御手段とを具備し、制御手段は、検知装置で人が住宅内に入ることが検知され且つ質問器で受信した識別符号が予め登録された識別符号と照合して一致した場合に警戒モードを解除することを特徴とする。
【０００７】
請求項２の発明は、請求項１の発明において、制御装置の制御手段は、検知装置で人が住宅内から出ることが検知され且つ質問器で受信した識別符号が予め登録された識別符号と照合して一致した場合に警戒モードを設定することを特徴とする。
【０００８】
請求項３の発明は、請求項１の発明において、制御装置は、質問器に対して警戒モードの設定／解除の状態を通知する通知手段を具備し、質問器は、警告音を鳴動する警告音鳴動手段と、応答器の識別符号を送信したにもかかわらず制御装置の通知手段から警戒モードが解除状態であることが通知された場合に警告音鳴動手段を鳴動させる質問器制御手段とを具備することを特徴とする。
【０００９】
請求項４の発明は、請求項１の発明において、質問器は、警告音を鳴動する警告音鳴動手段と、応答器から識別符号が返信されない場合に警告音鳴動手段を鳴動させる質問器制御手段とを具備することを特徴とする。
【００１０】
請求項５の発明は、請求項２の発明において、それぞれに異なる識別符号を記憶した複数の応答器を備え、制御装置は、応答器に対して無線信号により識別符号の問い合わせを行うとともに応答器から返信される識別符号を受信する質問手段を具備し、制御手段は、質問手段で何れの応答器の識別符号も受信しなければ警戒モードを設定し、質問手段で少なくとも何れか一つの応答器の識別符号を受信すれば警戒モードを設定しないことを特徴とする。
【００１１】
請求項６の発明は、請求項５の発明において、制御装置は、ガス器具や照明器具に対して動作を停止させるための制御信号を送信する制御信号送信手段を具備し、制御手段は、質問手段が何れの応答器の識別符号も受信しなければ制御信号送信手段から制御信号を送信させ、質問手段が少なくとも一つの応答器の識別符号を受信すれば制御信号送信手段から制御信号を送信させないことを特徴とする。
【００１２】
請求項７の発明は、請求項１の発明において、制御装置は、質問器に対して警戒モードの設定及び解除の状態を示すモード信号を送信するモード信号送信手段を具備し、質問器は、制御装置のモード信号送信手段から送信されるモード信号を受信するモード信号受信手段と、モード信号受信手段で受信するモード信号に応じて警戒モードの設定及び解除の状態を報知するモード報知手段とを具備することを特徴とする。
【００１３】
請求項８の発明は、請求項１〜７の何れかの発明において、セキュリティ機器として住戸の出入口に設けられた扉を施錠する電気錠を備え、制御装置は、検知装置で人が住宅内に入ることが検知され且つ質問器で受信した識別符号が予め登録された識別符号と照合して一致した場合に電気錠を解錠する電気錠駆動手段を具備することを特徴とする。
【００１４】
請求項９の発明は、請求項８の発明において、電気錠は、扉の閉戸を検出して閉戸検出信号を出力する機能を有し、制御装置の電気錠駆動手段は、閉戸検出信号が出力されているときに電気錠を施錠するとともに、閉戸検出信号の出力開始時に質問器から識別符号を受信していなければ電気錠を施錠しないことを特徴とする。
【００１５】
請求項１０の発明は、請求項９の発明において、質問器は、閉戸検出信号の出力開始時に無線信号を送信することを特徴とする。
【発明の効果】
【００１６】
請求項１の発明によれば、検知装置で人が住宅内に入ることが検知され且つ質問器で受信した識別符号が予め登録された識別符号と照合して一致した場合に制御装置がセキュリティ機器の警戒モードを解除するので、住戸外において質問器の送信可能範囲内に応答器が入ってしまっても検知装置で人が検知されない限りは警戒モードが解除されることがなく、質問器と応答器の通信可能距離を延長してもセキュリティ機器の警戒モードが不用意に解除されることを防止できる。
【００１７】
請求項２の発明によれば、居住者が応答器を携帯して住戸の玄関を出入りすれば、警戒モードの設定／解除が自動的に行われるため、外出時の警戒モードの設定忘れや帰宅時の警戒モードの解除忘れを防ぐことができる。
【００１８】
請求項３の発明によれば、警告音で警告することにより警戒モードの設定忘れを防ぐことができる。
【００１９】
請求項４の発明によれば、警告音で警告することにより外出する居住者が応答器の携帯を忘れるのを防ぐことができる。
【００２０】
請求項５の発明によれば、他の居住者が住戸内に居る場合に誤って警戒モードを設定することが防止できる。
【００２１】
請求項６の発明によれば、住戸が留守のときにガス器具や照明器具が動作することを防止できる。
【００２２】
請求項７の発明によれば、モード報知手段の報知によって、外出時及び帰宅時に警戒モードの状態（設定／解除）を居住者が確認できる。
【００２３】
請求項８の発明によれば、居住者が帰宅したときに電気錠の解錠が自動的に行われるため、解錠時に何ら操作を行う必要がないから利便性が向上する。
【００２４】
請求項９の発明によれば、居住者が応答器を携帯せずに外出したら電気錠が施錠されないため、外出した居住者が閉め出されるのを防ぐことができる。
【００２５】
請求項１０の発明によれば、質問器が常時無線信号を送信する場合に比較して電力消費を抑えることができる。
【発明を実施するための最良の形態】
【００２６】
以下、図面を参照して本発明の実施形態を詳細に説明する。
【００２７】
本実施形態のセキュリティシステムは、図１に示すように住戸に設置され住戸内への不審者の侵入や住戸内におけるガス漏れ、火災発生等のセキュリティ関係の異常を検知して異常検知信号を送信する送信機付きの防犯センサ６と、住戸の内玄関に設置されて人の出入りを検知する宅内側通過検知装置１と、住戸の外玄関に設置されて人の出入りを検知する宅外側通過検知装置２と、固有の識別符号を記憶するとともに無線信号によって識別符号を送信する機能を有し居住者が携帯する応答器３と、外玄関に設置され応答器３に対して無線信号により識別符号の問い合わせを行うとともに応答器３から無線信号で返信される識別符号を受信する質問器４と、防犯センサ６から異常検知信号を受信して異常発生を報知する制御装置（防犯制御装置）５と、玄関扉に設けられた電気錠７と、電気錠７の施錠／解錠を制御する電気錠制御装置８とを備えている。
【００２８】
宅内側通過検知装置１並びに宅外側通過検知装置２は、人体から放射される熱線を検知することで検知エリア内における人の存在を検出する人体検出部１０，２０と、人体検出部１０，２０で人の存在を検出したときに人体検出信号を生成する信号生成部１１，２１と、信号生成部１１，２１で生成された人体検出信号を電波を媒体とする無線信号で送信する無線送信部１２，２２とを具備し、それぞれ玄関を通過して宅外へ出る人（居住者）、玄関を通過して宅内へ入る人を検出している。
【００２９】
応答器３は、複数（図示例では３つ）のコイルＬ１並びにコンデンサＣ１から構成され質問器４から電磁波により送信される起動信号を受信する受信用アンテナ３０と、受信用アンテナ３０が受信した信号を復調する復調回路３１と、予め設定されている固有の識別符号（ＩＤ）を暗号化して出力する暗号化部３２と、電波を媒体とする無線信号を送信する送信用アンテナ３３と、後述する応答器制御部３５から入力された信号を変調して送信用アンテナ３３から無線信号により送信させる変調回路３４と、受信用アンテナ３０及び復調回路３１を介して質問器４からの起動信号が入力されると暗号化部３２を動作させて暗号化された識別符号を取り込み、変調回路３４及び送信用アンテナ３３を介して識別符号を送信させる応答器制御部３５と、電池を電源として各部に動作電源を供給する電源回路部３６とを具備する。但し、本実施形態ではそれぞれに異なる識別符号を記憶した複数の応答器３を備えている。
【００３０】
質問器４は、コイルＬ２並びにコンデンサＣ２から構成され電磁波により信号を送信する送信用アンテナ４０と、後述する質問器制御部４４から入力された起動信号を変調して送信用アンテナ４０から電磁波により送信させる変調回路４１と、宅内側通過検知装置１並びに宅外側通過検知装置２から送信される無線信号（人体検知信号）と応答器３から送信される無線信号（識別符号）を受信するとともに防犯制御装置５並びに電気錠制御装置８に対して無線信号を送信する送受信用アンテナ４２と、質問器制御部４４から入力された信号を変調して送受信用アンテナ４２から無線信号を送信させるとともに送受信用アンテナ４２で受信した信号を復調する送受信回路４３と、ＣＰＵを主構成要素とする質問器制御部４４と、ＬＥＤなどの発光素子によって表示を行う表示部４５と、ブザーを鳴動させるブザー部４６とを具備する。
【００３１】
防犯制御装置５は、宅内側通過検知装置１並びに宅外側通過検知装置２から送信される無線信号（人体検知信号）、質問器４から送信される無線信号を受信するとともに質問器４に対して無線信号を送信する送受信用アンテナ５０と、後述する制御部５２から入力された信号を変調して送受信用アンテナ５０から無線信号を送信させるとともに送受信用アンテナ５０で受信した信号を復調する送受信回路５１と、ＣＰＵを主構成要素とする制御部５２と、ＬＥＤなどの発光素子によって異常発生の表示を行う表示部５３と、警報音を鳴動させる警報音鳴動部５４と、操作スイッチを有する操作部５５と、コイルＬ３並びにコンデンサＣ３から構成され電磁波により信号を送信する送信用アンテナ５６と、制御部５２から入力された起動信号を変調して送信用アンテナ５６から電磁波により送信させる変調回路５７と、ＪＥＭ−Ａ端子（所謂ホームオートメーション端子）を備えた設備機器（例えば、ガスコンロ９や照明器具１０など）に対して制御信号を出力する制御信号出力部５８とを具備する。
【００３２】
電気錠７は従来周知であって、信号線Ｌｓにより電気錠制御装置８と接続され、信号線Ｌｓを介して電気錠制御装置８から伝送される駆動信号によって電磁ソレノイドを駆動して施錠及び解錠し、施錠及び解錠の状態を示す施解錠検出信号と扉の開戸及び閉戸の状態を示す閉戸検出信号とを信号線Ｌｓを介して電気錠制御装置８に伝送する機能を有している。
【００３３】
電気錠制御装置８は、宅内側通過検知装置１並びに宅外側通過検知装置２から送信される無線信号（人体検知信号）、質問器４から送信される無線信号を受信するとともに質問器４に対して無線信号を送信する送受信用アンテナ８０と、後述する制御部８２から入力された信号を変調して送受信用アンテナ８０から無線信号を送信させるとともに送受信用アンテナ８０で受信した信号を復調する送受信回路８１と、ＣＰＵを主構成要素とする制御部８２と、制御部８２からの指示に基づいて電気錠７を施錠又は解錠するための駆動信号を信号線Ｌｓを介して伝送する電気錠駆動部８３とを具備する。なお、電気錠７から信号線Ｌｓを介して伝送される施解錠検出信号並びに閉戸検出信号は電気錠駆動部８３を通じて制御部８２に入力される。
【００３４】
防犯制御装置５では、制御部５２が警戒モードに設定されているときに何れかの防犯センサ６から無線信号で送信された異常検知信号を送受信用アンテナ５０と送受信回路５１を介して受信すると、制御部５２が表示部５３を制御して光による異常発生の表示を行うと同時に警報音鳴動部５４により警報音を鳴動させることで住戸内の居住者に異常の発生や異常の種類並びに異常発生箇所等を知らせる。但し、警戒モードが解除されているとき、制御部５２は防犯センサ６の異常検知信号に対してガス漏れや火災発生の異常を除いて何ら処理を行わない。なお、制御部５２に対する警戒モードの設定／解除は操作部５５の操作釦を操作することで切り換えることができる。
【００３５】
また電気錠制御装置８では、制御部８２が自動施錠モードに設定されている場合、閉戸検出信号が入力され且つ施解錠検出信号が解錠を示していれば電気錠駆動部８３から信号線Ｌｓを介して駆動信号を伝送させることで電気錠７を施錠させ、後述するように応答器３を携帯した居住者が帰宅したときに電気錠駆動部８３から信号線Ｌｓを介して駆動信号を伝送させることで電気錠７を解錠させる。
【００３６】
応答器３では、受信用アンテナ３０及び復調回路３１を介して質問器４からの起動信号が入力されるまでは応答器制御部３５が待機状態にあり、起動信号が入力されたら応答器制御部３５が起動し、暗号化部３２を動作させて暗号化された識別符号を取り込み、変調回路３４及び送信用アンテナ３３を介して無線信号により識別符号を送信させる。
【００３７】
質問器４では、宅内側通過検知装置１又は宅外側通過検知装置２から送信される無線信号（人体検知信号）が送受信用アンテナ４２及び送受信回路４３を介して入力されるまでは質問器制御部４４が待機状態にあって起動信号を出力しておらず、宅内側又は宅外側の通過検知装置１，２の人体検知信号が入力されたら変調回路４１に起動信号を出力して送信用アンテナ４０から電磁波により起動信号を送信させる。そして、応答器３から返信される無線信号（暗号化された識別符号）が送受信用アンテナ４２及び送受信回路４３を介して入力されると、質問器制御部４４は暗号化された識別符号を送受信用アンテナ４２及び送受信回路４３を介して無線信号で防犯制御装置５並びに電気錠制御装置８に送信させる。但し、起動信号を出力してから所定時間内に応答器３からの識別符号が入力されない場合、質問器制御部４４はブザー部４６を制御して警告音を鳴動させる。
【００３８】
防犯制御装置５では、送受信用アンテナ５０及び送受信回路５１を介して無線信号（識別符号）が制御部５２に入力されると、暗号化された識別符号を解読した後、図示しないメモリに予め登録された識別符号と照合し、受信した識別符号が登録された識別符号に一致しなければその旨の信号（エラー信号）を送受信用アンテナ５０及び送受信回路５１を介して無線信号で質問器４に送信させる。そして、エラー信号が送受信用アンテナ４２及び送受信回路４３を介して入力されると質問器制御部４４が表示部４５並びにブザー部４６を制御して光と音による警告を行う。
【００３９】
一方、受信した識別符号が登録された識別符号に一致した場合、防犯制御装置５の制御部５２は、変調回路５７に起動信号を出力して送信用アンテナ５６から電磁波により起動信号を送信させ、応答器３からの識別符号を受信することで住戸内に存在する応答器３の数をカウントし、そのカウント値がゼロ、つまり何れの応答器３からも識別符号が返信されてこない場合には送受信用アンテナ５０並びに送受信回路５１を介して宅内側又は宅外側の通過検知装置１，２の何れの人体検知信号が入力されたかに基づいて居住者が外出したのか、あるいは帰宅したのかを判断し、外出と判断すれば警戒モードを設定するとともに帰宅と判断すれば警戒モードを解除し、さらに外出と判断した場合、制御信号出力部５８からガスコンロ９並びに照明器具１０に対して停止及び消灯を指示する制御信号を送信させる。また、カウント値が１以上、つまり少なくとも何れか一つの応答器３からの識別符号を受信すれば警戒モードの設定／解除の切り換えは行わない。さらに、制御部５２は警戒モードの設定及び解除の状態を示すモード信号を生成して送受信回路５１に出力し、送受信回路５１で変調されたモード信号が無線信号によって送受信アンテナ５０から質問器４に向けて送信される。
【００４０】
質問器４では、防犯制御装置５から送信された無線信号（モード信号）が送受信用アンテナ４２及び送受信回路４３を介して入力されると、質問器制御部４４が表示部４５並びにブザー部４６を制御して防犯制御装置５が現在警戒モードに設定されているか、あるいは警戒モードが解除されているかを光と音で報知する。但し、表示部４５又はブザー部４６の何れか一方のみで報知しても構わない。
【００４１】
また質問器制御部４４は、送受信用アンテナ４２並びに送受信回路４３を介して宅内側又は宅外側の通過検知装置１，２の何れの人体検知信号が入力されたかに基づいて居住者が外出したのか、あるいは帰宅したのかを判断しており、外出と判断した場合において、応答器３から受信した識別符号を防犯制御装置５に送信した時点から所定の経過時間が経過するまでの間に警戒モードが設定状態に切り換えられたことがモード信号によって通知されなければ、ブザー部４６を制御して警告音を鳴動させる。
【００４２】
電気錠制御装置８では、送受信用アンテナ８０及び送受信回路８１を介して無線信号（識別符号）並びに宅外側通過検知装置２からの無線信号（人体検知信号）が制御部８２に入力されると、暗号化された識別符号を解読した後、図示しないメモリに予め登録された識別符号と照合し、受信した識別符号が登録された識別符号に一致すれば、電気錠駆動部８３から信号線Ｌｓを介して駆動信号を伝送させることで電気錠７を解錠させる。但し、制御部８２は電気錠７から閉戸検出信号が入力されていなければ、電気錠駆動部８３から駆動信号を伝送させることはない。一方、受信した識別符号が登録された識別符号に一致しなければ、制御部８２はその旨の信号（エラー信号）を送受信用アンテナ８０及び送受信回路８１を介して無線信号で質問器４に送信させ、質問器４において光と音（警告音）で警告する。
【００４３】
ここで、居住者が応答器３を携帯せずに外出して閉め出されることがないように、電気錠制御装置８の制御部８２は、電気錠７からの閉戸検出信号の出力開始時（玄関扉が閉じられたとき）に送受信用アンテナ８０及び送受信回路８１を介して無線信号（識別符号）を受信していなければ、電気錠駆動部８３から駆動信号を伝送させずに電気錠７を施錠しない。なお、電気錠７から閉戸検出信号が出力されなくなった、つまり、玄関扉が開戸されたときに電気錠制御装置８から無線信号でその旨を質問器４に伝達し、その無線信号を受信した時点で質問器４が起動信号を送信するようにしても構わない。
【００４４】
上述のように本実施形態では、宅外側通過検知装置２で人が住宅内に入ることが検知され且つ質問器４で受信した識別符号が予め登録された識別符号と照合して一致した場合に、防犯制御装置５が防犯センサ６の警戒モードを解除するので、住戸外において質問器４の送信可能範囲内に応答器３が入ってしまっても宅外側通過検知装置２で人が検知されない限りは警戒モードが解除されることがなく、質問器４と応答器３の通信可能距離を延長しても防犯センサ６の警戒モードが不用意に解除されることを防止できる。さらに、居住者が応答器３を携帯して住戸の玄関を出入りすれば、警戒モードの設定／解除が防犯制御装置５において自動的に行われるため、外出時の警戒モードの設定忘れや帰宅時の警戒モードの解除忘れを防ぐことができる。また、応答器３を携帯した居住者が帰宅し、宅外側通過検知装置２で検知され且つ質問器４で受信した識別符号が予め登録された識別符号と照合して一致したときに電気錠制御装置８によって電気錠７の解錠が自動的に行われるため、解錠時に何ら操作を行う必要がないから利便性が向上する。しかも、居住者が応答器３を携帯せずに外出しようとしたら電気錠制御装置８が電気錠７を施錠しないため、外出した居住者が閉め出されるのを防ぐことができる。
【００４５】
なお、外玄関に設置されて帰宅した居住者が操作可能な操作スイッチを宅外側通過検知装置に用いれば構成の簡略化が図れる。また、電気錠７から出力される開戸検出信号（閉戸検出信号を反転した信号）を利用し、宅外側通過検知装置２が通過を検知した後に開戸検出信号を受信したら帰宅と判断し、宅外側通過検知装置２が通過を検知せずに開戸検出信号を受信したら外出と判断すれば、宅内側通過検知装置を電気錠７で兼用することができ、安価且つ使い勝手のよいセキュリティシステムが提供できる。なお、本実施形態では電気錠制御装置８と電気錠７を別体に構成しているが、これらを同一のハウジングに納めて一体に構成しても構わない。
【図面の簡単な説明】
【００４６】
【図１】本発明の実施形態を示すシステム構成図である。
【符号の説明】
【００４７】
１  宅内側通過検知装置
２  宅外側通過検知装置
３  応答器
４  質問器
５  防犯制御装置
６  防犯センサ
７  電気錠
８  電気錠制御装置
【図１】
2006350862.tif 000003